(57)【要約】【課題】最大トラフィック使用量の超過前に、帯域制御を行うことにより、トラフィック使用量の抑制を行うとともに、トラフィック使用量の確認のための余分なトラフィックを発生させること無く、エンドユーザがトラフィック使用量の確認を可能とする。【解決手段】ＯＬＴ２００が備える帯域制御部２２０は、トラフィック量の累積値の最大値に対する割合である使用割合を算出し、使用割合に応じて設定される制限割合から、最大許容帯域と制限割合の積により送信制限帯域を算出し、帯域要求フレームに含まれる送信要求帯域に基づいて、送信制限帯域以下の範囲で、送信許可帯域を設定し、送信許可帯域を含む帯域通知フレームを生成する。ＯＮＵ３００は、下り電気信号に含まれるトラフィック量の累積値を表示するトラフィック使用量表示部３３０を備える。【選択図】図２
2011114532.tif 000002
【特許請求の範囲】
【請求項１】
１つの局側装置が複数の加入者側装置に接続される光通信ネットワークであって、
前記局側装置が、光電変換部と、トラフィック分離部と、トラフィック量検出部と、インタフェースと、帯域制御部とを備え、
前記光電変換部は、加入者側装置から受け取る上り光信号を上り電気信号に変換し、
前記トラフィック分離部は、前記上り電気信号を上り主信号フレームと帯域要求フレームに分離し、前記上り主信号フレームを、前記インタフェースを経て外部に送るとともに、前記トラフィック量検出部に送り、前記帯域要求フレームを前記帯域制御部に送り、
前記トラフィック量検出部は、前記上り主信号フレームのトラフィック量を検出し、前記トラフィック量の累積値であるトラフィック使用量を前記帯域制御部に送り、
前記帯域制御部は、前記トラフィック使用量の、予め定められたトラフィック最大量に対する使用割合を算出し、前記使用割合に応じて設定される制限割合から、最大許容帯域と制限割合の積により送信制限帯域を算出し、前記帯域要求フレームに含まれる送信要求帯域に基づいて、前記送信制限帯域以下の範囲で、送信許可帯域を設定し、前記送信許可帯域を含む帯域通知フレームを生成し、
下り主信号フレームに、前記帯域通知フレーム及び前記トラフィック使用量を含むフレームを多重して下り電気信号を生成し、前記下り電気信号を前記下り光信号に変換して、前記加入者側装置に送り、
前記加入者側装置が、受信した下り光信号を下り電気信号に変換する光電変換部と、前記下り電気信号に含まれるトラフィック使用量を表示するトラフィック使用量表示部とを備える
ことを特徴とする光通信ネットワーク。
【請求項２】
前記局側装置が、トラフィック最大量とトラフィック使用量の差分であるトラフィック差分量を算出し、
前記下り主信号フレームに、前記帯域通知フレーム及び前記トラフィック差分量を含むフレームを多重して下り電気信号を生成し、前記下り電気信号を前記下り光信号に変換して、前記加入者側装置に送り、
前記加入者側装置が、前記下り電気信号に含まれるトラフィック差分量を表示するトラフィック差分量表示部とを備える
ことを特徴とする請求項１に記載の光通信ネットワーク。
【請求項３】
１つの局側装置が複数の加入者側装置に接続される光通信ネットワークで行われる、トラフィック抑制方法であって、
前記局側装置において、
加入者側装置から受け取る上り光信号を上り電気信号に変換する過程と、
前記上り電気信号を上り主信号フレームと帯域要求フレームに分離する過程と、
前記上り主信号フレームのトラフィック量、及び、前記トラフィック量の累積値であるトラフィック使用量を取得する過程と
前記トラフィック使用量の、トラフィック最大量に対する使用割合を算出する過程と、
前記使用割合に応じて設定される制限割合から、最大許容帯域と前記制限割合の積により送信制限帯域を算出する過程と、
前記帯域要求フレームに含まれる送信要求帯域に基づいて、前記送信制限帯域以下の範囲で、送信許可帯域を設定する過程と
前記送信許可帯域を含む帯域通知フレームを生成する過程と、
下り主信号フレームに、前記帯域通知フレーム及び前記トラフィック使用量を含むフレームを多重して下り電気信号を生成し、前記下り電気信号を前記下り光信号に変換して、前記加入者側装置に送る過程と
が行われ、
前記加入者側装置において
受信した下り光信号を下り電気信号に変換する過程と、
前記下り電気信号に含まれるトラフィック使用量を表示する過程と
が行われることを特徴とする光通信方法。
【請求項４】
前記局側装置において、
前記トラフィック最大量とトラフィック使用量の差分として、トラフィック差分量を算出する過程と、
前記下り主信号フレームに、前記帯域通知フレーム及び前記トラフィック差分量を含むフレームを多重して下り電気信号を生成し、前記下り電気信号を前記下り光信号に変換して、前記加入者側装置に送る過程と
を行い、
前記加入者側装置において、前記下り電気信号に含まれる前記トラフィック差分量を表示する過程を行う
ことを特徴とする請求項３に記載の光通信方法。
【発明の詳細な説明】
【技術分野】
【０００１】
この発明は、光通信ネットワークと、光通信ネットワークでのトラフィック抑制方法に関するものである。
【背景技術】
【０００２】
近年、通信サービス提供事業者がブロードバンドサービスを実施する中で、一部のヘビーユーザによるネットワークのトラフィック負荷が問題となっている。そこで、この対策として、通信トラフィック量による利用料金を設定する契約形態が一部の通信サービス提供事業者で実施されている。これらの動きは、有線通信によるブロードバンドサービスだけではなく、携帯電話によるデータ通信の場合においても見られる。
【０００３】
例えば、通信サービス提供事業者は、エンドユーザとの間で、月々のトラフィック最大量を定めた契約する。通信サービス提供事業者は、各エンドユーザのトラフィック使用量を測定し、インタネットの所定のウェブページ上に、そのトラフィック使用量の情報を提示する。月々のトラフィック使用量が、トラフィック最大量を超過した場合は、超過したトラフィック使用量に応じた利用料金の追加分をエンドユーザに請求するか、もしくはサービスの提供を停止する（例えば、非特許文献１又は２参照）。
【０００４】
この場合、エンドユーザの側でトラフィック使用量を把握するためには、所定のウェブページを閲覧する必要がある。
【先行技術文献】
【非特許文献】
【０００５】
【非特許文献１】「Ｃｏｍｃａｓｔ，連邦通信委員会の判断に異議を申し立て――ＢｉｔＴｏｒｒｅｎｔのブロック行為」http://japan.cnet.com/news/biz/story/0,2000056020,20379938,00.htm?ref=rss  （２００９年９月１６日）
【非特許文献２】「２００８年海外でのニュース総まくり」http://www.icr.co.jp/newsletter/topics/2009/t2009K001.html  （２００９年９月１６日）
【発明の概要】
【発明が解決しようとする課題】
【０００６】
しかしながら、上述の従来の方法では、トラフィック最大量までは問題なくサービスの利用ができるが、トラフィック最大量を超過した時点で、サービス料金の負担が増加するか、もしくは、サービスが利用停止状態になるので、エンドユーザにとっては、突然サービスの利用ができなくなったり、予期しない課金がなされたりする。
【０００７】
これを防ぐには、エンドユーザがトラフィック使用量を把握している必要があるが、ある時点でのトラフィック使用量は、エンドユーザが自発的に確認する動作を行わないと把握できない。一般に、エンドユーザがサービスを利用する場合に、先ず、閲覧サイトに接続して、トラフィック使用量を把握した後に、データの送信を行うことは、考えにくい。さらに、利用料金がトラフィック使用量で定まるため、その利用料金の確認のためのトラフィックを発生させるのは、望まれない。
【０００８】
また、トラフィック最大量というパラメータのみで、追加料金の発生や、サービス停止が起こるので、エンドユーザの利便性を考えると、十分なサービスを提供しているとはいえないことになる。
【０００９】
この発明は、上述の問題点に鑑みてなされたものであり、この発明の目的は、トラフィック最大量の超過前に、帯域制御を行うことにより、トラフィック使用量の抑制を行うとともに、トラフィック使用量の確認のための余分なトラフィックを発生させること無く、エンドユーザがトラフィック使用量の確認を可能とする光通信ネットワークと、光通信ネットワークでのトラフィック抑制方法を提供することにある。
【課題を解決するための手段】
【００１０】
上述した目的を達成するために、この発明の１つの局側装置（ＯＬＴ：Ｏｐｔｉｃａｌ  Ｌｉｎｅ  Ｔｅｒｍｉｎａｌ）が複数の加入者側装置（ＯＮＵ：Ｏｐｔｉｃａｌ  Ｎｅｔｗｏｒｋ  Ｕｎｉｔ）に接続される光通信ネットワークは、ＯＬＴが、光電変換部と、トラフィック分離部と、トラフィック量検出部と、インタフェースと、帯域制御部とを備えて構成される。
【００１１】
光電変換部は、ＯＮＵから受け取る上り光信号を上り電気信号に変換する。トラフィック分離部は、上り電気信号を上り主信号フレームと帯域要求フレームに分離し、上り主信号フレームを、インタフェースを経て外部に送るとともに、トラフィック量検出部に送る。また、トラフィック分離部は、帯域要求フレームを帯域制御部に送る。トラフィック量検出部は、上り主信号フレームのトラフィック量を検出し、トラフィック量の累積値であるトラフィック使用量を帯域制御部に送る。帯域制御部は、トラフィック使用量の、予め定められたトラフィック最大量に対する使用割合を算出する。帯域制御部は、使用割合に応じて設定される制限割合から、最大許容帯域と制限割合の積により送信制限帯域を算出し、帯域要求フレームに含まれる送信要求帯域に基づいて、送信制限帯域以下の範囲で、送信許可帯域を設定し、送信許可帯域を含む帯域通知フレームを生成する。ＯＬＴは、下り主信号フレームに、帯域通知フレーム及びトラフィック使用量を含むフレームを多重して下り電気信号を生成し、下り電気信号を下り光信号に変換した後、ＯＮＵに送る。
【００１２】
ＯＮＵは、受信した下り光信号を下り電気信号に変換する光電変換部と、下り電気信号に含まれるトラフィック使用量を表示するトラフィック使用量表示部とを備えて構成される。
【００１３】
また、この発明の１つのＯＬＴが複数のＯＮＵに接続される光通信ネットワークで行われるトラフィック抑制方法は、以下の過程を備えている。
【００１４】
先ず、ＯＬＴにおいて、ＯＮＵから受け取る上り光信号を上り電気信号に変換する。次に、上り電気信号を上り主信号フレームと帯域要求フレームに分離する。次に、上り主信号フレームのトラフィック量を検出し、トラフィック量の累積値であるトラフィック使用量を帯域制御部に送る。次に、トラフィック使用量の、トラフィック最大量に対する使用割合を算出する。次に、使用割合に応じて設定される制限割合から、最大許容帯域と制限割合の積により送信制限帯域を算出する。次に、帯域要求フレームに含まれる送信要求帯域に基づいて、送信制限帯域以下の範囲で、送信許可帯域を設定する。次に、送信許可帯域を含む帯域通知フレームを生成する。次に、下り主信号フレームに、帯域通知フレーム及びトラフィック使用量を含むフレームを多重して下り電気信号を生成し、下り電気信号を下り光信号に変換した後、ＯＮＵに送る。
【００１５】
その後、ＯＮＵにおいて、受信した下り光信号を下り電気信号に変換する過程と、下り電気信号に含まれるトラフィック使用量を表示する過程とが行われる。
【発明の効果】
【００１６】
この発明の光通信ネットワーク及びトラフィック抑制方法によれば、トラフィック最大量に対するトラフィック使用量の使用割合に応じて、帯域制御が行われるので、トラフィック最大量の超過前に、トラフィック使用量が抑制される。また、トラフィック使用量の確認のための余分なトラフィックを発生させること無く、エンドユーザのトラフィック使用量の確認を可能にする。
【図面の簡単な説明】
【００１７】
【図１】光通信ネットワークの概略構成図である。
【図２】光通信ネットワークの第１実施形態の概略構成図である。
【図３】帯域抑制方法の処理フロー図である。
【図４】光通信ネットワークの第２実施形態の概略構成図である。
【発明を実施するための形態】
【００１８】
以下、図を参照して、この発明の実施の形態について説明するが、各図は、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１９】
（光通信ネットワーク）
図１を参照して、光通信ネットワークについて説明する。図１は、光通信ネットワークの概略構成図である。
【００２０】
光通信ネットワークの一形態として、受動型光加入者ネットワーク（ＰＯＮ：Ｐａｓｓｉｖｅ  Ｏｐｔｉｃａｌ  Ｎｅｔｗｏｒｋ）がある。ＰＯＮ１００は、局内に設けられる１つの局側装置（ＯＬＴ）２００と、複数の加入者宅内にそれぞれ設けられる加入者側装置（ＯＮＵ）３００と、光スプリッタ４００とを備えて構成される。ＯＬＴ２００及び各ＯＮＵ３００と、光スプリッタ４００とは、光ファイバで接続される。ＯＬＴ２００と各ＯＮＵ３００は、一対多で接続される。なお、ＰＯＮでは、上り光信号と下り光信号とで異なる波長が用いられる。
【００２１】
ＯＬＴ２００と各ＯＮＵ３００との間の通信には、時分割多重（Ｔｉｍｅ  Ｄｉｖｉｓｉｏｎ  Ｍｕｌｔｉｐｌｅｘｉｎｇ）技術が用いられる。ＯＬＴ２００からＯＮＵ３００への下り光信号では、ＯＬＴ２００が、各ＯＮＵに対する信号を、時間軸上で多重して送信する。各ＯＮＵは、全てのＯＮＵに対する下り光信号を受信した後、下り電気信号に変換し、下り電気信号に含まれるパケットに付与された識別番号（ＩＤ）を識別して、自分宛のパケットのみ取り込む。他のＯＮＵ宛のパケットは、廃棄される。
【００２２】
一方、各ＯＮＵ３００からＯＬＴ２００への上り光信号は、光スプリッタ４００において、時間軸上で多重されて、ＯＬＴ２００に送られる。ここで、光スプリッタ４００で多重される際に、複数のＯＮＵ３００からの上り光信号が衝突しないようにするために、ＯＬＴ２００が各ＯＮＵ３００の送信タイミングを制御する。
【００２３】
タイミング制御を行うため、各ＯＮＵ３００は、ＯＬＴ２００に対して上り光信号の送信要求帯域と送信要求タイミングをＯＬＴ２００に送る。ＯＬＴ２００では、各ＯＮＵ３００から受け取った要求に応じて、各ＯＮＵ３００に帯域を割り当てて、送信許可を送る。
【００２４】
上り光信号の送信許可帯域を動的に制御する機能としてＤＢＡ（Ｄｙｎａｍｉｃ  Ｂａｎｄｗｉｄｔｈ  Ａｌｌｏｃａｔｉｏｎ）機能がある。ＯＬＴではＤＢＡ機能を使用し、最低保証帯域や最大許容帯域に応じた帯域を設定することにより、各ＯＮＵからの上り光信号の利用帯域を制御している。
【００２５】
ここで、最低保証帯域は、各ＯＮＵ３００からの上り光信号の送信時に最低限保証される帯域である。また、最大許容帯域とは、各ＯＮＵ３００からの上り光信号の送信時に最大利用可能な帯域である。
【００２６】
（第１実施形態）
図２を参照して、第１実施形態の光通信ネットワークについて説明する。図２は、第１実施形態の光通信ネットワークの概略構成図である。
【００２７】
第１実施形態の光通信ネットワーク１００は、いわゆるＰＯＮである。この光通信ネットワーク１００は、ＯＬＴ２００の帯域制御部２２０の機能と、ＯＬＴ２００がトラフィック量検出部２３０を備える点が従来のＯＬＴと異なっていて、その他の構成は、従来のＯＬＴと同様にすることができる。また、ＯＮＵ３００が、トラフィック使用量表示部３３０を備える点が従来のＯＮＵと異なっていて、その他の構成は、従来のＯＮＵと同様にすることができる。従って、以下の説明では、従来のＯＬＴ及びＯＮＵと同様の構成については、説明を省略することもある。
【００２８】
ＯＬＴ２００は、ＷＤＭフィルタ２１０、光電（Ｏ／Ｅ）変換部２１２、発光部（Ｅ／Ｏ変換部）２９０、トラフィック分離部２１４、ネットワークインタフェース（ＮＷ−ＩＦ）２１６、帯域制御部２２０、ＳＬＡ（Ｓｅｒｖｉｃｅ  Ｌｅｖｅｌ  Ａｇｒｅｅｍｅｎｔ）用データベース（ＤＢ）２２６、トラフィック量検出部２３０を備えて構成される。上り光信号はＷＤＭフィルタ２１０を経てＯ／Ｅ変換部２１２に送られる。Ｏ／Ｅ変換部２１２は、上り光信号を上り電気信号に変換して、トラフィック分離部２１４に送る。トラフィック分離部２１４は、上り電気信号を上り主信号フレームと帯域要求フレームとに分離する。上り主信号フレームは、ＮＷ−ＩＦ２１６を経て外部ネットワークに送られるとともに、トラフィック量検出部２３０に送られる。一方、帯域要求フレームは、帯域制御部２２０に送られる。
【００２９】
トラフィック量検出部２３０は、トラフィック量の所定期間の累積値としてトラフィック使用量を管理している。このトラフィック使用量は、例えばＲＡＭ（図示を省略する。）に読出し及び書換え自在に格納されている。トラフィック量検出部２３０は、上り主信号フレームを受け取ると、それに応答して、トラフィック量を取得する。取得したトラフィック量は、トラフィック使用量に加算される。トラフィック使用量は、エンドユーザとの契約に応じて、例えば、１ヶ月ごとの累積値とすることができる。
【００３０】
トラフィック量検出部２３０は、このトラフィック使用量を帯域制御部２２０に送る。また、トラフィック量検出部２３０は、このトラフィック使用量の情報を含むフレームを下り主信号フレームとして生成する。
【００３１】
帯域制御部２２０は、ＤＢＡ機能など帯域制御に必要なＤＢＡコントローラ２２２に加えて、帯域抑制に必要な各種の機能手段を備えている。この帯域制御部２２０が備える機能手段は、例えば、ＣＰＵがＲＯＭ等に格納されているプログラムを実行することにより実現される。帯域制御部２２０での処理結果は、例えば、ＲＡＭに読出し及び書換え自在に格納されている。
【００３２】
帯域制御部２２０のＤＢＡコントローラ２２２は、帯域要求フレームに含まれる送信要求帯域に従って、各ＯＮＵに割り当てるべき送信許可帯域を決定する。なお、送信許可帯域の決定にあたり、帯域制御部２２０は、ＳＬＡ用ＤＢ２２６に格納されている、最低保証帯域や最大許容帯域の情報を利用する。通常、帯域制御部２２０は、ＯＮＵからの送信要求帯域と、現在使われていない未使用帯域とに応じて、最大許容帯域以下の範囲で送信許可帯域を設定する。なお、最低保証帯域が契約等により定められていて、送信要求帯域が最低保証帯域以上の場合は、最低保証帯域以上最大許容帯域以下の範囲で送信許可帯域が設定される。
【００３３】
帯域制御部２２０は、使用割合として、トラフィック使用量の、トラフィック最大量に対する使用割合を算出する。トラフィック最大量は、エンドユーザとの契約に応じて定められていて、例えば１ヶ月間にエンドユーザが送信可能な、トラフィックの最大量を示している。
【００３４】
ＳＬＡ用ＤＢ２２６には、最低保証帯域や最大許容帯域の情報に加えて、使用割合と制限割合とが対応付けられたテーブルが読出し自在に格納されている。帯域制御部２２０は、トラフィック使用量から算出された使用割合に対応する制限割合をＳＬＡ用ＤＢ２２６から読み出す。このテーブルの構成例を表１に示す。
【００３５】
【表１】
2011114532.tif 000003
【００３６】
帯域制御部２２０のＤＢＡコントローラ２２２は、使用割合が５０％より小さい場合は、帯域の制限を与えない。すなわち、制限割合は１００％となる。この場合、ＤＢＡコントローラ２２２は、送信要求フレームに含まれる送信要求値に基づいて、最大許容帯域以下の範囲で帯域設定を行う。
【００３７】
ＤＢＡコントローラ２２２は、使用割合が５０％以上の場合、ＳＬＡ用ＤＢ２２６に格納されているテーブルを参照して、制限割合を８０％にする。この場合、ＤＢＡコントローラ２２２は、最大許容帯域の８０％を制限帯域として設定して、送信制限帯域以下の範囲で送信許可帯域の設定を行う。
【００３８】
ＤＢＡコントローラ２２２は、使用割合が６０％以上の場合、ＳＬＡ用ＤＢ２２６に格納されているテーブルを参照して、制限割合を７０％にする。この場合、ＤＢＡコントローラ２２２は、最大許容帯域の７０％を制限帯域として設定して、送信制限帯域以下の範囲で送信許可帯域の設定を行う。
【００３９】
帯域制限部２２０は、設定された送信許可帯域を含む帯域通知フレームを生成する。
【００４０】
なお、最低保証帯域や最大許容帯域、あるいは、使用割合と制限割合との関係など、帯域制御に必要な情報は、エンドユーザごとに予め契約等により定められていて、ＯＬＴ２００を管理している通信事業者等によりＳＬＡ用ＤＢ２３０に登録される。また、トラフィック最大量についても、契約等により予め定められ、例えばＳＬＡ用ＤＢ２２６に、エンドユーザごとに格納されている。
【００４１】
ＯＬＴ２００は、外部から受け取った下り主信号フレームに、帯域通知フレーム及びトラフィック使用量を含むフレームを多重手段２８０、２８２で多重して下り電気信号を生成し、Ｅ／Ｏ変換部２９０で下り電気信号を下り光信号に変換した後、ＷＤＭフィルタ２１０を経てＯＮＵ３００に送る。
【００４２】
ＯＮＵ３００に送られた下り光信号は、Ｏ／Ｅ変換部３１２で、下り電気信号に変換される。ここでは、図示及び詳細な説明を省略するが、下り電気信号のうち、他のＯＮＵ宛の信号は廃棄され、自分宛の信号のみが取り込まれる。この自分宛の信号の中で下り主信号フレームは、ユーザインタフェース（ＳＵＢ−ＩＦ）３１６を経てユーザ端末に送られる。また、下り主信号フレームは、トラフィック使用量表示部３３０にも送られる。
【００４３】
トラフィック使用量表示部３３０は、下り主信号フレームに含まれるトラフィック使用量を抽出して、表示する。このトラフィック使用量の表示は、任意好適な手段を用いて行えば良い。例えば、ＯＮＵ３００が液晶ディスプレイなどの表示手段を備え、トラフィック使用量表示部３３０からの指示に応じて、トラフィック使用量を表示させることができる。また、ＯＮＵ３００に接続されているユーザ端末にトラフィック使用量の情報を送り、ユーザ端末にトラフィック使用量を表示させてもよい。
【００４４】
（トラフィック抑制方法）
図３を参照して、トラフィック抑制方法について説明する。図３は、トラフィック抑制方法の処理フロー図である。
【００４５】
先ず、ステップ（以下、ステップをＳで示す。）１０の過程で、ＯＬＴ２００での上り光信号の受信に応答して、トラフィック量検出部２３０がトラフィック使用量を取得する。
【００４６】
次に、Ｓ２０の過程で、帯域制御部２２０が、トラフィック使用量と、ＳＬＡ用ＤＢ或いはＲＡＭに格納されているトラフィック最大量とを用いて、使用割合を算出する。
【００４７】
次に、Ｓ３０の過程で、帯域制御部２２０が、ＳＬＡ用ＤＢ２２６に格納されている、使用割合と制限割合の関係を示すテーブルを参照して、制限設定の要否を判定する。
【００４８】
Ｓ３０の判定の結果、制限設定が必要な場合（Ｙｅｓ）は、Ｓ４０の過程で、送信制限帯域を設定した後、Ｓ５０の過程を行う。この送信制限帯域は、最大許容帯域と制限割合との積により得られる。
【００４９】
一方、Ｓ３０の判定の結果、制限設定が不要な場合（Ｎｏ）は、引き続いてＳ５０の過程を行う。
【００５０】
Ｓ５０の過程では、最低保証帯域と、最大許容帯域又は送信制限帯域に基づいて、各ＯＮＵに対する帯域制御を行う。すなわち、帯域制御部２２０は、各ＯＮＵに対して送信許可帯域を設定した後、この送信許可帯域を含む帯域通知フレームを生成して、各ＯＮＵに送る。
【００５１】
次に、Ｓ６０の過程で、ＯＬＴ２００は、各ＯＮＵ３００にトラフィック使用量を通知する。このトラフィック使用量の通知は、トラフィック量検出部２３０が生成する、トラフィック使用量を含む下り主信号フレームを他のフレームと同様にＯＮＵに送ることで行われる。
【００５２】
上述した光通信ネットワーク及びトラフィック抑制方法によれば、トラフィック最大量に対するトラフィック使用量の使用割合に応じて、帯域制御が行われるので、トラフィック最大量の超過前に、使用されるトラフィックが抑制される。また、トラフィック使用量の確認のための余分なトラフィックを発生させること無く、エンドユーザがトラフィック使用量を確認することができる。
【００５３】
（第２実施形態）
図４を参照して、第２実施形態の光通信ネットワークについて説明する。図４は、第２実施形態の光通信ネットワークの概略構成図である。
【００５４】
第２実施形態の光通信ネットワーク１０１は、ＯＬＴ２０１がトラフィック差分量検出部２３２を備え、ＯＮＵ３０１が、トラフィック使用量表示部に換えて、トラフィック差分量表示部３３２を備えている点が、第１実施形態の光通信ネットワークと異なっている。それ以外の点については、第１実施形態と同様なので、重複する説明を省略する。
【００５５】
ＯＬＴ２０１では、トラフィック分離部２１４で分離された上り主信号フレームは、外部のネットワークに送られるとともに、トラフィック量検出部２３０に送られる。
【００５６】
トラフィック量検出部２３０は、上り主信号フレームのトラフィック使用量を取得し、トラフィック使用量を帯域制御部２２０とトラフィック差分量検出部２３２に送る。帯域制御部２２０での処理は、第１実施形態と同様である。
【００５７】
トラフィック差分量検出部２３２は、ＳＬＡ用ＤＢ２２６から受け取るトラフィック最大量と、トラフィック量検出部２３０から受け取るトラフィック使用量との差分を取る。トラフィック差分量検出部２３２は、トラフィック最大量からトラフィック使用量を減算したものをトラフィック差分量とする。また、このトラフィック差分量の情報を含むフレームが下り主信号フレームとして生成される。
【００５８】
ＯＬＴ２０１は、下り主信号フレームに、帯域通知フレーム及びトラフィック差分量を含むフレームを多重して下り電気信号を生成し、下り電気信号を下り光信号に変換して、ＯＮＵ３０１に送る。
【００５９】
ＯＮＵ３０１に送られた下り光信号は、Ｏ／Ｅ変換部３１２で、下り電気信号に変換される。ここでは、図示及び詳細な説明を省略するが、下り電気信号のうち、他のＯＮＵ宛の信号は廃棄され、自分宛の信号のみが取り込まれる。この自分宛の信号の中で下り主信号フレームは、ユーザ端末に送られる。また、下り主信号フレームは、トラフィック差分量表示部３３２にも送られる。
【００６０】
トラフィック差分量表示部３３２は、下り主信号フレームに含まれるトラフィック差分量を抽出して、表示する。このトラフィック差分量の表示は、任意好適な手段を用いて行えば良い。例えば、ＯＮＵが液晶ディスプレイなどの表示手段を備え、トラフィック差分量表示部３３２からの指示に応じて、トラフィック差分量を表示させることができる。また、ユーザ端末にトラフィック差分量を送り、ユーザ端末にトラフィック差分量を表示させることができる。
【００６１】
この第２実施形態の構成によれば、第１実施形態の構成により得られる効果に加えて、さらに、エンドユーザが利用可能な残りのトラフィック量であるトラフィック差分量をリアルタイムに確認できるという効果が得られる。
【符号の説明】
【００６２】
１００、１０１    光通信ネットワーク（ＰＯＮ）    
２００、２０１    局側装置（ＯＬＴ）    
２１０、３１０    ＷＤＭフィルタ
２１２、３１２    光電（Ｏ／Ｅ）変換部
２１４    トラフィック分離部
２１６    ネットワークインタフェース
２２０    帯域制御部
２２２    ＤＢＡコントローラ
２２６    ＳＬＡ用ＤＢ
２３０    トラフィック量検出部
２３２    トラフィック差分量検出部
２８０、２８２    多重手段
２９０、３９０    発光部（Ｅ／Ｏ変換部）
３００、３０１    加入者側装置（ＯＮＵ）
３１６    ユーザインタフェース
３３０    トラフィック使用量表示部
３３２    トラフィック差分量表示部    
４００    光スプリッタ
【図１】
2011114532.tif 000004
【図２】
2011114532.tif 000005
【図３】
2011114532.tif 000006
【図４】
2011114532.tif 000007